(57)【特許請求の範囲】
【請求項１】
エレベータの昇降路内に設置されたレールを支持するレールブラケット又は前記レール同士を連結する目板の間に張りわたされた支持用ロープと、
前記支持用ロープの中間部に上端が接続され、前記昇降路内の昇降体に下端が接続され、前記上端と前記下端との間にチェーンブロックと吊り秤とが接続された重量測定部と、を備えたエレベータの昇降体の重量測定装置。
【請求項２】
エレベータの昇降路の頂部の機械室内に設けられ、前記機械室の床部に形成された主ロープ孔の直上に少なくとも配置された支持部材と、
前記支持部材に上端が接続され、前記昇降路内の昇降体に下端が接続され、前記上端と前記下端との間にチェーンブロックと吊り秤とが接続された重量測定部と、を備えたエレベータの昇降体の重量測定装置。
【請求項３】
前記支持部材は、前記機械室内に設置された巻上機を支持する機械台の上に設けられる  請求項２に記載のエレベータの昇降体の重量測定装置。
【請求項４】
エレベータの昇降路内の昇降体を吊持する複数本の主ロープのうちの１本の中間部に固定される主ロープ挟み部材と、
前記主ロープ挟み部材に上端が接続され、前記昇降体に下端が接続され、前記上端と前記下端との間にチェーンブロックと吊り秤とが接続された重量測定部と、を備えたエレベータの昇降体の重量測定装置。
【請求項５】
前記昇降体はエレベータのかごであり、
前記重量測定部の前記下端は、前記かごの上梁に接続される請求項１から請求項４のいずれか一項に記載のエレベータの昇降体の重量測定装置。
【発明の詳細な説明】
【技術分野】
【０００１】
この発明は、エレベータの昇降体の重量測定装置に関するものである。
【背景技術】
【０００２】
従来における昇降路内に主ロープを介して吊り下げられたエレベータの昇降体の重量を測定する方法では、昇降体の上方側に延びる主ロープの途中を掴み具により掴み、この掴み具をジャッキで上方に迫り上げ、この迫り上げ時の荷重を荷重センサで検出して昇降体の重量を測定するものが知られている（例えば、特許文献１参照）。
【０００３】
また、昇降路の上部に形成された機械室の床面に形成した開口部に挿入された複数本のロープから成る主ロープを介して吊り下げられる昇降体を備えたエレベータに適用され、重量測定器を用いて昇降体の重量を測定するエレベータの昇降体の重量測定方法において、機械室の床面に形成した開口部に重量測定器を設置し、主ロープに掴み具を取り付け、この状態で昇降体を降下させて、掴み具で前記重量測定器を押圧することによって昇降体の重量を測定するようにしたものも、従来において知られている（例えば、特許文献２参照）。
【先行技術文献】
【特許文献】
【０００４】
【特許文献１】特開２００１−２２６０５２号公報
【特許文献２】特開２０１５−０８１１９２号公報
【発明の概要】
【発明が解決しようとする課題】
【０００５】
しかしながら、特許文献１に示された従来技術においては、主ロープの途中の掴み具をジャッキで迫り上げるための基礎が必要であり、ガイドレール間に一対の固定枠を支持部材により取り付けて、この固定枠をジャッキで掴み具を迫り上げるときの基礎として用いている。この際、異なる昇降路のサイズに対しては異なる大きさの固定枠を用いる必要があるため、様々なサイズの昇降路に対して適用することが困難である。また、昇降路のサイズが大きくなると必要となる固定枠のサイズも大きくなるため、固定枠の昇降路内への搬入及び取り付けが容易でなくなる。
【０００６】
さらに、特許文献１及び特許文献２のいずれに示された従来技術においても、測定された重量は、掴み具より下側の主ロープの重量も含んでいる。したがって、これらの方法では、かご等の昇降体の正確な重量を知ることが困難である。特に既設のエレベータにおいては、使用により主ロープの重量も設置から変化する。このため、測定値から主ロープの重量分を補正しようとしても、主ロープの正確な重量を知ることは難しいため、かご等の昇降体の正確な重量を知ることがより困難になる。
【０００７】
この発明は、このような課題を解決するためになされたもので、かご等の昇降路内の昇降体のより正確な重量を測定することができ、異なるサイズの昇降路を有するエレベータについても容易に適用することが可能であるエレベータの昇降体の重量測定装置を得るものである。
【課題を解決するための手段】
【０００８】
この発明に係るエレベータの昇降体の重量測定装置においては、エレベータの昇降路内に設置されたレールを支持するレールブラケット又は前記レール同士を連結する目板の間に張りわたされた支持用ロープと、前記支持用ロープの中間部に上端が接続され、前記昇降路内の昇降体に下端が接続され、前記上端と前記下端との間にチェーンブロックと吊り秤とが接続された重量測定部と、を備えた構成とする。
【０００９】
または、エレベータの昇降路の頂部の機械室内に設けられ、前記機械室の床部に形成された主ロープ孔の直上に少なくとも配置された支持部材と、前記支持部材に上端が接続され、前記昇降路内の昇降体に下端が接続され、前記上端と前記下端との間にチェーンブロックと吊り秤とが接続された重量測定部と、を備えた構成とする。
【００１０】
または、エレベータの昇降路内の昇降体を吊持する複数本の主ロープのうちの１本の中間部に固定される主ロープ挟み部材と、前記主ロープ挟み部材に上端が接続され、前記昇降体に下端が接続され、前記上端と前記下端との間にチェーンブロックと吊り秤とが接続された重量測定部と、を備えた構成とする。
【発明の効果】
【００１１】
この発明に係るエレベータの昇降体の重量測定装置においては、かご等の昇降路内の昇降体のより正確な重量を測定することができ、異なるサイズの昇降路を有するエレベータについても容易に適用することが可能であるという効果を奏する。
【図面の簡単な説明】
【００１２】
【図１】この発明の実施の形態１に係るエレベータの昇降体の重量測定装置の全体構成を模式的に示す図である。
【図２】この発明の実施の形態２に係るエレベータの昇降体の重量測定装置の全体構成を模式的に示す図である。
【図３】この発明の実施の形態２に係るエレベータの昇降体の重量測定装置が備える支持部材の取付構造を模式的に示す図である。
【図４】図３に示す矢印Ａの方向から見た矢視図である。
【図５】図３に示す支持部材の要部を示す斜視図である。
【図６】図３に示す支持部材の取付構造が備える取付具の斜視図である。
【図７】この発明の実施の形態３に係るエレベータの昇降体の重量測定装置の全体構成を模式的に示す図である。
【発明を実施するための形態】
【００１３】
この発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１４】
実施の形態１．
図１は、この発明の実施の形態１に係るもので、エレベータの昇降体の重量測定装置の全体構成を模式的に示す図である。
【００１５】
まず、図１を参照しながら、この発明の実施の形態１に係るエレベータの昇降体の重量測定装置が重量測定の対象とする既設エレベータの構成について説明する。図１に示すように、エレベータの昇降路１００内には、かご２００が昇降自在に設置されている。かご２００の上端には主ロープ３００の一端が連結されている。主ロープ３００の他端は図示しない釣合い重りの上端に連結されている。なお、釣合い重りもかご２００と同様に昇降路１００内に昇降自在に設置されている。主ロープ３００の中間部は、昇降路１００の頂部に設置された図示しない巻上機の駆動綱車及びそらせ車に巻き掛けられている。このようにして、乗りかご２００及び釣合い重りは、主ロープ３００によって昇降路１００内で互いに相反する方向に昇降するつるべ状に吊持されている。
【００１６】
昇降路１００内には、一対のかごレール１０１が互いに対向して設置されている。これらのかごレール１０１、かご２００の昇降方向に沿って配置され、かご２００の昇降を案内するためのものである。それぞれのかごレール１０１は、レールブラケット１０２により、昇降路１００の内壁面に固定されている。また、かごレール１０１は、複数のレールがかご２００の昇降方向に沿って並べられて連結されている。レールの連結部分には図示しない目板が設けられており、複数のレール同士は、この目板により連結されている。
【００１７】
かご２００は、かご室２０１とかご枠とを備えている。かご室２０１は、利用者等が搭乗するための箱体である。かご室２０１は、かご枠内に取り付けられている。かご枠は、かご室２０１の上下及び左右両側を囲うように設けられる枠体である。かご枠は、左右それぞれの縦柱２０２と、かご室２０１の上方において、これらの縦柱２０２間に掛けわたされた上梁２０３と、かご室２０１を下方から支持する図示しない下梁と、を備えている。
【００１８】
次に、このようにして構成された既設のエレベータの昇降体の重量を測定するための構成について説明する。なお、ここでは重量測定の対象となる昇降体をかご２００とした場合をとり上げる。重量測定の対象となる昇降体を釣合い重りとすることもできる。すなわち、この発明の実施の形態１に係るエレベータの昇降体の重量測定装置は、かご２００のみならず、釣合い重りの重量を測定することも可能である。
【００１９】
既設のエレベータのかご２００の重量を測定する際には、昇降路１００内に支持用ロープ４１１が設置される。支持用ロープ４１１の両端部には、支持用ロープ接続部４１２が形成されている。一端の支持用ロープ接続部４１２は、一対のかごレール１０１のうちの一方のレールブラケット１０２に接続される。他端の支持用ロープ接続部４１２は、一対のかごレール１０１のうちの他方のレールブラケット１０２に接続される。この際、支持用ロープ４１１の両端の支持用ロープ接続部４１２は、同じ高さ位置にあるレールブラケット１０２にそれぞれ接続することが望ましい。
【００２０】
なお、支持用ロープ接続部４１２は、レールブラケット１０２でなく、前述したレールの目板に接続するようにしてもよい。また、支持用ロープ接続部４１２は、かごレール１０１のレールブラケット１０２でなく、釣合い重りを案内するための図示しない重りレールのブラケット又は目板に接続するようにしてもよい。このようにして、支持用ロープ４１１はレールブラケット１０２又は目板の間に張りわたされる。
【００２１】
以上のようにして設けられた支持用ロープ４１１は、昇降路１００内において重量測定部４００を支持するためのものである。支持用ロープ４１１の中間部には、重量測定部４００の上端に形成された支持側接続部４０５が接続される。重量測定部４００の下端には、かご側接続部４０１が形成されている。かご側接続部４０１は、重量測定対象の昇降体であるかご２００に接続される。ここでは、かご側接続部４０１は、かご２００の上梁２０３に接続されている。
【００２２】
支持側接続部４０５とかご側接続部４０１との間には、チェーンブロック４０４及び吊り秤４０２が接続される。チェーンブロック４０４及び吊り秤４０２は、ここでは、直列に連結されている。すなわち、支持側接続部４０５の下側には、チェーンブロック４０４の上フックが接続されている。チェーンブロック４０４のチェーン４０３の下フックには、吊り秤４０２が接続されている。そして、吊り秤４０２の下側には、かご側接続部４０１が接続されている。
【００２３】
以上のように構成されたエレベータの昇降体の重量測定装置を用いて、既設エレベータのかご２００の重量を測定する場合、まず、釣合い重りが移動しないように固定する。次に、かご２００の上に作業員が乗り、これまでに説明したように支持用ロープ４１１と重量測定部４００とを取り付け、図１に示す状態とする。
【００２４】
そして、かご２００の上の作業員は、チェーンブロック４０４のチェーン４０３を巻き上げる。このチェーンブロック４０４の巻き上げは、主ロープ３００にかご２００の重さが掛からない状態になるまで行う。この状態では、重量測定部４００のチェーンブロック４０４及び吊り秤４０２に、かご２００とかご２００の上の作業員の全重量が掛かっている。作業員は、この状態の吊り秤４０２の指示値を読み取る。作業員自身の体重は既知量であるため、読み取った吊り秤４０２の指示値から作業員の体重を差し引くことで、既設エレベータの昇降体であるかご２００の重量を正確に知ることができる。
【００２５】
なお、重量測定部４００の吊り秤４０２より下のかご側接続部４０１までの部分の重量については、吊り秤４０２の更正時に予め考慮に入れておくことで、より容易に既設エレベータの昇降体の重量を正確に測定することができる。
【００２６】
以上のように構成されたエレベータの昇降体の重量測定装置においては、十分な長さの支持用ロープ４１１を予め準備しておけば様々な昇降路１００のサイズに対応可能であって、異なるサイズの昇降路１００を有するエレベータについても容易に適用することが可能である。また、重量測定部４００を昇降路１００内に支持するためにロープを用いているため、かさばらず搬入、設置が容易である。さらに、重量測定部４００の下端をかご２００等の昇降体に直接に接続することができるため、主ロープ３００等の重量を含まない、より正確な既設エレベータのかご２００の重量を測定することが可能である。
【００２７】
実施の形態２．
図２から図６は、この発明の実施の形態２に係るもので、図２はエレベータの昇降体の重量測定装置の全体構成を模式的に示す図、図３はエレベータの昇降体の重量測定装置が備える支持部材の取付構造を模式的に示す図、図４は図３に示す矢印Ａの方向から見た矢視図、図５は図３に示す支持部材の要部を示す斜視図、図６は図３に示す支持部材の取付構造が備える取付具の斜視図である。
【００２８】
前述した実施の形態１の構成は、昇降路１００内に設置した支持用ロープ４１１で重量測定部４００を支持するものであった。これに対し、ここで説明する実施の形態２は、昇降路１００頂部の機械室内に設置した支持部材で重量測定部４００を支持するようにしたものである。以下、この実施の形態２に係るエレベータの昇降体の重量測定装置について、実施の形態１との相違点を中心に説明する。
【００２９】
図２に示すように、昇降路１００の頂部には、機械室５００が設けられている。機械室５００内には、巻上機が設置されている。機械室５００内の床部上には、機械台５０１が設置されている。巻上機は、この機械台５０１の上に設置される。機械室の床部には、主ロープ孔５０２が形成されている。主ロープ３００の巻上機４よりも乗りかご２００側は、主ロープ孔５０２内を通されている。機械台５０１は、主ロープ孔５０２を挟むようにして一対設置されている。
【００３０】
既設のエレベータのかご２００の重量を測定する際には、機械室５００内に支持部材４２０が設置される。支持部材４２０は、少なくとも主ロープ孔５０２の直上に配置される。支持部材４２０は、重量測定部４００を昇降路１００内に支持するためのものである。支持部材４２０の中間部には、重量測定部４００の上端に形成された支持側接続部４０５が接続される。重量測定部４００の下端には、かご側接続部４０１が形成されている。かご側接続部４０１は、重量測定対象の昇降体であるかご２００に接続される。ここでは、かご側接続部４０１は、かご２００の上梁２０３に接続されている。
【００３１】
支持側接続部４０５とかご側接続部４０１との間には、チェーンブロック４０４及び吊り秤４０２が接続される。チェーンブロック４０４及び吊り秤４０２は、ここでは、直列に連結されている。すなわち、支持側接続部４０５の下側には、チェーンブロック４０４の上フックが接続されている。チェーンブロック４０４のチェーン４０３の下フックには、吊り秤４０２が接続されている。そして、吊り秤４０２の下側には、かご側接続部４０１が接続されている。なお、重量測定部４００の支持側接続部４０５とチェーンブロック４０４との間は、主ロープ孔５０２内を通されている。
【００３２】
次に、図３から図６を参照しながら、支持部材４２０の取付構造について説明する。ここでは、支持部材４２０は、一対の機械台５０１の上に設置されている。図３に示すように、機械台５０１は、例えば、断面が略Ｈ字状の鋼材である。支持部材４２０は、一対の機械台５０１の上に架けわたされて設置される。ここでは、支持部材４２０は、図４及び図６に示すように、中空円筒状の例えば鋼材により構成されている。
【００３３】
中空円筒状の支持部材４２０を機械台５０１の上に固定するため、ここでは、支持部材取付具４３０を用いている。すなわち、各機械台５０１の上には、支持部材取付具４３０がそれぞれ固定される。そして、これらの支持部材取付具４３０に支持部材４２０が取り付けられることで、機械台５０１の上に支持部材４２０が設置される。
【００３４】
図５に示すように、各支持部材取付具４３０は、第１の取付具４３１及び第２の取付具４３２が組み合わされて構成されている。これらの第１の取付具４３１及び第２の取付具４３２は、例えば溶接等により強固に組み合わされる。第１の取付具４３１は直方体状の例えば鋼鉄製の部材である。第１の取付具４３１の上面には、支持部材４２０の外形に合わせて、略Ｕ字状の取付具支持面４３３が形成されている。第１の取付具４３１の両側面には、両側面と取付具支持面４３３とを貫通する取付具貫通孔４３４が複数形成されている。
【００３５】
第２の取付具４３２は板状の例えば鋼鉄製の部材である。第２の取付具４３２の上側には、支持部材４２０の外形に合わせて、取付具支持面４３３と同形の切り欠きが形成されている。第１の取付具４３１と第２の取付具４３２とは、この第２の取付具４３２の切り欠きが、第１の取付具４３１の取付具支持面４３３と揃うように位置が合わせられている。第２の取付具４３２の下側は、第１の取付具４３１の下面よりもさらに下方に突出している。この第２の取付具４３２の突出部分には、ボルト用貫通孔４３５が形成されている。
【００３６】
図６に示すように、支持部材取付具４３０の取付具貫通孔４３４に対応して、支持部材４２０には、その長手方向と垂直な方向に支持部材貫通孔４２１が複数形成されている。
【００３７】
支持部材４２０を機械台５０１に設置する際には、まず、機械台５０１上に支持部材取付具４３０を置き、支持部材取付具４３０の取付具支持面４３３の上に支持部材４２０を置く。支持部材貫通孔４２１と取付具貫通孔４３４との位置が揃うように、支持部材４２０と支持部材取付具４３０との位置を調整する。そして、図４に示すように、支持部材固定ボルト４２２を支持部材貫通孔４２１と取付具貫通孔４３４とに同時に通し、ナット４４２を用いて締結する。次に、ボルト用貫通孔４３５に取付具固定ボルト４４１を通し、取付具固定ボルト４４１の先端が機械台５０１の側面に当たるようにしてナット４４２で締結し、機械台５０１上に支持部材取付具４３０を介して支持部材４２０を固定する。
なお、他の構成については実施の形態１と同様であって、その詳細説明は省略する。
【００３８】
以上のように構成されたエレベータの昇降体の重量測定装置を用いて、既設エレベータのかご２００の重量を測定する場合、まず、釣合い重りが移動しないように固定する。次に、機械室５００内に支持部材４２０を設置し、支持部材４２０に重量測定部４００の支持側接続部４０５を接続し、重量測定部４００のかご側接続部４０１側を、主ロープ孔５０２から昇降路１００内に吊り下げる。続いて、かご２００の上に作業員が乗り、重量測定部４００のかご側接続部４０１をかご２００に取り付け、図２に示す状態とする。
【００３９】
そして、かご２００の上の作業員は、チェーンブロック４０４のチェーン４０３を巻き上げる。このチェーンブロック４０４の巻き上げは、主ロープ３００にかご２００の重さが掛からない状態になるまで行う。この状態では、重量測定部４００のチェーンブロック４０４及び吊り秤４０２に、かご２００とかご２００の上の作業員の全重量が掛かっている。作業員は、この状態の吊り秤４０２の指示値を読み取る。作業員自身の体重は既知量であるため、読み取った吊り秤４０２の指示値から作業員の体重を差し引くことで、既設エレベータの昇降体であるかご２００の重量を正確に知ることができる。
【００４０】
なお、以上のように構成された実施の形態２に係るエレベータの昇降体の重量測定装置においても、実施の形態１と同様に、重量測定の対象となる昇降体を釣合い重りとすることもできる。すなわち、かご２００のみならず、釣合い重りの重量を測定することも可能である。
【００４１】
以上のように構成されたエレベータの昇降体の重量測定装置においては、重量測定部４００の下端をかご２００等の昇降体に直接に接続することができるため、主ロープ３００等の重量を含まない、より正確な既設エレベータのかご２００の重量を測定することが可能である。また、昇降路１００のサイズが異なっても機械台５０１間の距離は大きく変わることは少ないため、ある程度の長さの支持部材４２０を準備しておけば、様々な昇降路１００のサイズに対応可能である。この際、支持部材４２０に形成した複数の支持部材貫通孔４２１と支持部材取付具４３０に形成した取付具貫通孔４３４とを用いることで、機械台５０１間の距離が異なる場合であっても容易に対応することができる。
【００４２】
実施の形態３．
図７は、この発明の実施の形態３に係るもので、エレベータの昇降体の重量測定装置の全体構成を模式的に示す図である。
【００４３】
前述した実施の形態１の構成は、昇降路１００内に設置した支持用ロープ４１１で重量測定部４００を支持するものであった。これに対し、ここで説明する実施の形態３は、かご２００等の昇降体の主ロープのうちの１本を用いて重量測定部４００を支持するようにしたものである。以下、この実施の形態３に係るエレベータの昇降体の重量測定装置について、実施の形態１との相違点を中心に説明する。
【００４４】
図７に示すように、主ロープ３００は、複数本設けられている。ここでは、例えば、主ロープ３００は、第１の主ロープ３０１、第２の主ロープ３０２及び第３の主ロープ３０３の３本設けられている。
【００４５】
そして、既設のエレベータのかご２００の重量を測定する際には、これら複数本の主ロープ３００のうちの１本、ここでは第１の主ロープ３０１の中間部に、主ロープ挟み部材４５０が固定される。主ロープ挟み部材４５０は、第１の主ロープ３０１を挟むことで、第１の主ロープ３０１の中間部分に固定される。
【００４６】
主ロープ挟み部材４５０には、重量測定部４００の上端が接続される。重量測定部４００の下端には、かご側接続部４０１が形成されている。かご側接続部４０１は、重量測定対象の昇降体であるかご２００に接続される。ここでは、かご側接続部４０１は、かご２００の上梁２０３に接続されている。
【００４７】
主ロープ挟み部材４５０に接続された重量測定部４００の上端とかご側接続部４０１との間には、チェーンブロック４０４及び吊り秤４０２が接続される。チェーンブロック４０４及び吊り秤４０２は、ここでは、直列に連結されている。すなわち、支持側接続部４０５の下側には、チェーンブロック４０４の上フックが接続されている。チェーンブロック４０４のチェーン４０３の下フックには、吊り秤４０２が接続されている。そして、吊り秤４０２の下側には、かご側接続部４０１が接続されている。
なお、他の構成については実施の形態１と同様であって、その詳細説明は省略する。
【００４８】
以上のように構成されたエレベータの昇降体の重量測定装置を用いて、既設エレベータのかご２００の重量を測定する場合、まず、釣合い重りが移動しないように固定する。次に、かご２００の上に作業員が乗り、これまでに説明したように主ロープ挟み部材４５０と重量測定部４００とを取り付け、図７に示す状態とする。
【００４９】
そして、かご２００の上の作業員は、チェーンブロック４０４のチェーン４０３を巻き上げる。このチェーンブロック４０４の巻き上げは、複数本の主ロープ３００のうち主ロープ挟み部材４５０が固定されているもの、具体的にここでは第１の主ロープ３０１の主ロープ挟み部材４５０より下の部分と、主ロープ挟み部材４５０が固定されていないもの、具体的にここでは第２の主ロープ３０２及び第３の主ロープ３０３とにかご２００の重さが掛からない状態になるまで行う。
【００５０】
この状態では、重量測定部４００のチェーンブロック４０４及び吊り秤４０２に、かご２００とかご２００の上の作業員の全重量が掛かっている。作業員は、この状態の吊り秤４０２の指示値を読み取る。作業員自身の体重は既知量であるため、読み取った吊り秤４０２の指示値から作業員の体重を差し引くことで、既設エレベータの昇降体であるかご２００の重量を正確に知ることができる。
【００５１】
なお、以上においては、かご側接続部４０１をかご２００の上梁２０３に接続する場合について説明したが、かご側接続部４０１を、例えば、第１の主ロープ３０１の主ロープ挟み部材４５０よりかご２００側の部分を主ロープ挟み部材４５０とは別の挟み部材で挟んで接続するようにしてもよい。
【００５２】
また、以上のように構成された実施の形態３に係るエレベータの昇降体の重量測定装置においても、実施の形態１、２と同様に、重量測定の対象となる昇降体を釣合い重りとすることもできる。すなわち、かご２００のみならず、釣合い重りの重量を測定することも可能である。
【００５３】
以上のように構成されたエレベータの昇降体の重量測定装置においては、様々な昇降路１００のサイズに対応可能であって、異なるサイズの昇降路１００を有するエレベータについても容易に適用することが可能である。また、重量測定部４００及び主ロープ挟み部材４５０のサイズが比較的小さいため、搬入、設置が容易である。さらに、重量測定部４００の下端をかご２００等の昇降体に直接に接続することができるため、主ロープ３００等の重量を含まない、より正確な既設エレベータのかご２００の重量を測定することが可能である。
【符号の説明】
【００５４】
１００    昇降路
１０１    かごレール
１０２    レールブラケット
２００    かご
２０１    かご室
２０２    縦柱
２０３    上梁
３００    主ロープ
３０１    第１の主ロープ
３０２    第２の主ロープ
３０３    第３の主ロープ
４００    重量測定部
４０１    かご側接続部
４０２    吊り秤
４０３    チェーン
４０４    チェーンブロック
４０５    支持側接続部
４１１    支持用ロープ
４１２    支持用ロープ接続部
４２０    支持部材
４２１    支持部材貫通孔
４２２    支持部材固定ボルト
４３０    支持部材取付具
４３１    第１の取付具
４３２    第２の取付具
４３３    取付具支持面
４３４    取付具貫通孔
４３５    ボルト用貫通孔
４４１    取付具固定ボルト
４４２    ナット
４５０    主ロープ挟み部材
５００    機械室
５０１    機械台
５０２    主ロープ孔
【図１】
0006555183.tif 000002
【図２】
0006555183.tif 000003
【図３】
0006555183.tif 000004
【図４】
0006555183.tif 000005
【図５】
0006555183.tif 000006
【図６】
0006555183.tif 000007
【図７】
0006555183.tif 000008